(57)【要約】      （修正有）【課題】従来の手押しポンプ付きの液体容器は注ぎの機能だけで、任意分量を設定し、注ぎと同時に計量も出来るものは無かったため、どれ位の量を注いだのか分からない。分量を量るために、計量スプーンや計量カップに移し替えて計量しなければならないという煩わしさがあった。この点を解消する。【解決手段】手押しポンプ付きの液体容器から液体を注ぐ時、手押しポンプの可動範囲を任意に制限できるようにし、その制限に応じた分量表示をしたことにより、ポンプの容積量が可変設定でき、液体の任意分量の注ぎが可能な構造の計量機能付き液体容器とした。また、手押しポンプ付きの液体容器の注ぎ口近くに一方向弁を設けることにより、ポンプの戻り時の液体逆流や液体残量の液面高さに影響を受けずに、注ぎ口近くの液体面高さを一定に保持し、逆流や液だれ防止が可能な構造の弁付き注ぎ口の液体容器とした。【選択図】図１
2005153937.tif 000002
【特許請求の範囲】
【請求項１】
手押しポンプ付きの液体容器から液体を注ぐ時、
手押しポンプの可動範囲を任意に制限できるようにし、
その制限に応じた分量表示をしたことにより、ポンプの容積量が可変設定でき、
液体の任意分量の注ぎが可能な構造の計量機能付き液体容器。
【請求項２】
手押しポンプ付きの液体容器の注ぎ口近くに一方向弁を設けることにより、
ポンプの戻り時の液体逆流や液体残量の液面高さに影響を受けずに、
注ぎ口近くの液体面高さを一定に保持し、
逆流や液だれ防止が可能な構造の弁付き注ぎ口の液体容器。
【発明の詳細な説明】
【技術分野】
【０００１】
本発明は、調理用調味料容器、洗剤容器、化粧品容器、実験容器、医薬品容器、家庭雑貨容器などに広く使われている液体容器や手押しポンプ付きの液体容器に、
計量機能を付加し、ポンプによる注ぎだけでなく任意分量も設定できるようにし、
より効率よく、より使い易くするための発明に関するものである。
【背景技術】
【０００２】
従来の手押しポンプ付きの液体容器は注ぎの機能だけで、
任意分量を設定し、注ぎと同時に計量も出来るものは無かったため、
どれ位の量を注いだのか分からないという問題があった。
【０００３】
また、手押しポンプの付いていない液体容器などにおいても
分量を量るために、いちいち計量スプーンや計量カップに移し替えて計量しなければならないという煩わしさがあった。
【０００４】
更にポンプの戻りや液体残量の液面高さに影響を受けて、注ぎ口近くの液体面高さが不安定で逆流や液だれが発生するという難点があった。
【発明の開示】
【発明が解決しようとする課題】
【０００５】
従来の手押しポンプ付きの液体容器は注ぎの機能だけで、
任意分量を設定し、注ぎと同時に計量も出来るものは無かったため、
どれ位の量を注いだのか分からな点。
【０００６】
また、手押しポンプのついていない液体容器などにおいても、
分量を量るために、いちいち計量スプーンや計量カップに移し替えて計量しなければならないという煩わしさ。
【０００７】
更にポンプの戻りや液体残量の液面高さに影響を受けて、注ぎ口近くの液体面高さが不安定で、逆流や液だれが発生するなどの問題点。
【課題を解決するための手段】
【０００８】
本発明を図面について説明すれば、容器蓋２の中央底に空気排出口１９を設け、
その上部には弾力性のある蛇腹型ポンプ６を密閉固着し、
その周りには蛇腹型ポンプ６の半分程度の高さを持つパイプ状の分量設定ガイド７を固着する。分量設定ガイド７の外側には分量設定ガイド雄ネジ１７が設けてあり、
その外側には分量設定ストッパー８と接し、分量設定ストッパー８の内側には分量設定ガイド雌ネジ１８を設け、分量設定ガイド雄ネジ１７と分量設定ガイド雌ネジ１８はそれぞれかみ合っている。また、分量設定ストッパー８の外側には縦溝１６が設けてある。
更にその外側には筒状の分量設定兼注ぎボタン１が蛇腹型ポンプ６の上部に接して被せた構造。分量設定兼注ぎボタン１の下部内側には分量設定ツメ１５が設けてあり、
これは縦溝１６と接している。
【０００９】
注ぎ口周辺の構造は容器本体１０の上部に穴を設け、そこにパイプ状で、且つ
くの字型の注ぎ口９の一端を差込み固着し、
もう一端の山切り先端１２をパイプ継ぎ手１１の一端に固着。
パイプ継ぎ手１１の中にはその内径よりも小さめの球状弁１３を入れ、
パイプ継ぎ手１１のもう一端には球状弁１３の半面と同じ面の形状を持つパイプ１４の一端を固着する。パイプ１４のもう一端は容器本体１０の底部に接している。
【００１０】
これらの構造により、容器本体１０の中に液体があって任意分量を注ぎたい場合、
分量設定兼注ぎボタン１の外周上に記されている分量目盛り２０を分量マーク２１の位置に合わせる。これにより分量設定ツメ１５は縦溝１６と接しているために分量設定ストッパー８を回す。分量設定ストッパー８が回ると分量設定ガイド雌ネジ１８と分量設定ガイド雄ネジ１７がネジとして接しているため分量設定ストッパー８は左に回った場合、上方へと移動し、分量設定兼注ぎボタン１の内側上部との間隔が変化する。
すなわち分量設定兼注ぎボタン１の押し下げる量を設定でき、分量目盛り２０により任意分量の設定ができる。
【００１１】
分量設定兼注ぎボタン１を指で押し下げた場合、内側に接している蛇腹型ポンプ６を押し、蛇腹型ポンプ６は押された分の容積量の空気を空気排出口１９より排出し、
排出された圧縮空気は密閉された容器本体１０の中の液体を押し、
その液体はパイプ１４の下部先端より押し上げられて球状弁１３に到達する。
液体に押し上げられた球状弁１３は山切り先端１２に当たるため、
液体はその隙間を通り、注ぎ口９に到達し、外に注がれる。
【００１２】
分量設定兼注ぎボタン１から指を離した場合、
蛇腹型ポンプ６は弾力性があるため、上方へ戻り、分量設定兼注ぎボタン１の内側上部を押し上げる。この際、蛇腹型ポンプ６の内側上部には弾力性があり一端を固着した空気弁３があり、戻る際に空気取入れ溝５および空気口４を通った空気が空気弁３の一端を押し下げ、空気が蛇腹型ポンプ６内に取り込まれて元に戻ることができる。
【００１３】
また、一方で注ぎ口９付近の液体は蛇腹型ポンプ６が戻る際に若干吸引されるため、
逆流するが球状弁１３がパイプ１４と接して閉じるため、僅かな逆流で済む。
これは注ぎ口９の液だれを防止すると共に、次の注ぎ時の分量を一定に保つためのものでもある。また、容器本体１０内の液体残量の増減による液面高さの影響を受けさせないためのものでもある。
【発明の効果】
【００１４】
ポンプの容積量が分量目盛りで可変設定できることにより、
液体の任意分量の設定と注ぎが可能になり、
計量スプーンや計量カップに移し替えて計量する手間が省けた。
【００１５】
特に食卓用の醤油さしなどに使うと簡単な操作で使い易いため、
注ぎ過ぎなどが無く、スピーディーに任意分量を注げ、健康維持や経済性にも貢献できる。
【００１６】
また、注ぎ口近くに一方向弁を設けたことにより、
ポンプの戻り時の液体逆流や液体残量の液面高さに影響を受けずに、
注ぎ口近くの液体面高さを一定に保持できるため逆流や液だれを防止でき、衛生的である。
【産業上の利用可能性】
【００１７】
調理用調味料や洗剤、化粧品だけでなく家庭の食卓などの醤油さしなどの液体容器として利用可能。
また、あらゆる分野に使われている液体の保存・計量を必要とする液体容器に適用できる。
【図面の簡単な説明】
【００１８】
【図１】本発明の側面図である。（一部の断面図と背面斜視図を含む）
【符号の説明】
【００１９】
１    分量設定兼注ぎボタン
２    容器蓋
３    空気弁
４    空気口
５    空気取入れ溝
６    蛇腹型ポンプ
７    分量設定ガイド
８    分量設定ストッパー
９    注ぎ口
１０    容器本体
１１    パイプ継ぎ手
１２    山切り先端
１３    球状弁
１４    パイプ
１５    分量設定ツメ
１６    縦溝
１７    分量設定ガイド雄ネジ
１８    分量設定ガイド雌ネジ
１９    空気排出口
２０    分量目盛り
２１    分量マーク
【図１】
2005153937.tif 000003